(57)【特許請求の範囲】
【請求項１】
赤外線検出素子と、レンズ部品と、を備え、
前記レンズ部品は、前記赤外線検出素子から見て前方からの赤外線を透過する第１領域と、前記赤外線検出素子から見て側方からの赤外線を透過する第２領域と、を備え、
前記第１領域には、各々が前記赤外線検出素子に赤外線を集光する複数の第１レンズが形成されており、
前記第１領域の赤外線入射面は２つの凸曲面で構成され、かつ、前記２つの凸曲面のそれぞれの前記赤外線検出素子側に前記複数の第１レンズの各々における複数の第１レンズ面を有し、
前記第２領域には、各々が前記赤外線検出素子に赤外線を集光する複数の第２レンズが形成されており、
前記第２領域の赤外線入射面は平面で構成され、かつ、前記平面の前記赤外線検出素子側に前記複数の第２レンズの各々における複数の第２レンズ面を有し、
前記複数の第２レンズのうち前記第１領域から離れる方向において並んでいる２つの第２レンズは、それぞれの光軸と前記赤外線検出素子の受光面とのなす角度が互いに異なる、
ことを特徴とする赤外線検出装置。
【請求項２】
前記レンズ部品には、前記第２領域が２つ設けられており、前記第１領域の両側に前記第２領域がある、
ことを特徴とする請求項１記載の赤外線検出装置。
【請求項３】
前記２つの凸曲面は、前方から見て２つの前記第２領域が並ぶ方向に直交する方向に並んでおり、
前記複数の第１レンズのうち前記２つの凸曲面における一方の凸曲面の一部を含む第１レンズと他方の凸曲面の一部を含む第１レンズとは、それぞれの光軸と前記赤外線検出素子の受光面とのなす角度が互いに異なる、
ことを特徴とする請求項２記載の赤外線検出装置。
【請求項４】
前記複数の第１レンズ面及び前記複数の第２レンズ面の各々は非球面である、
ことを特徴とする請求項１乃至３のいずれか一項に記載の赤外線検出装置。
【請求項５】
前記赤外線検出素子が収納されたパッケージを備え、
前記パッケージは、前記赤外線検出素子の前方に配置されて赤外線を透過する窓材を備え、
前記レンズ部品は、前記複数の第１レンズ及び前記複数の第２レンズの各々を透過した赤外線が前記窓材に直接入射するように構成されている、
ことを特徴とする請求項１乃至４のいずれか一項に記載の赤外線検出装置。
【発明の詳細な説明】
【技術分野】
【０００１】
本発明は、赤外線検出装置に関する。
【背景技術】
【０００２】
従来、赤外線検出装置としては、例えば、赤外線検出素子により赤外線を検出して人体の移動等を検知する熱線式検知器が知られている（特許文献１）。
【０００３】
特許文献１に記載された熱線式検知器は、赤外線検出素子と、赤外線検出素子の受光面に焦点を結ぶ複数のレンズを赤外線検出素子対向面に有するマルチレンズ（レンズ部品）と、を備えている。
【０００４】
熱線式検知器は、赤外線検出素子の出力を増幅して不要な周波数成分を除去した後、所定のしきい値と比較することにより、人体の移動等の有無を判断して出力する。
【先行技術文献】
【特許文献】
【０００５】
【特許文献１】特開平１０−２１３４７８号公報
【発明の概要】
【発明が解決しようとする課題】
【０００６】
赤外線検出装置の分野においては、視野角を大きくすることが望まれる場合がある。
【０００７】
本発明の目的は、視野角を大きくすることが可能な赤外線検出装置を提供することにある。
【課題を解決するための手段】
【０００８】
本発明に係る一態様の赤外線検出装置は、赤外線検出素子と、レンズ部品と、を備える。前記レンズ部品は、前記赤外線検出素子から見て前方からの赤外線を透過する第１領域と、前記赤外線検出素子から見て側方からの赤外線を透過する第２領域と、を備える。前記第１領域には、各々が前記赤外線検出素子に赤外線を集光する複数の第１レンズが形成されている。前記第１領域の赤外線入射面は２つの凸曲面で構成され、かつ、前記２つの凸曲面のそれぞれの前記赤外線検出素子側に前記複数の第１レンズの各々における複数の第１レンズ面を有する。前記第２領域には、各々が前記赤外線検出素子に赤外線を集光する複数の第２レンズが形成されている。前記第２領域の赤外線入射面は平面で構成され、かつ、前記平面の前記赤外線検出素子側に前記複数の第２レンズの各々における複数の第２レンズ面を有する。前記複数の第２レンズのうち前記第１領域から離れる方向において並んでいる２つの第２レンズは、それぞれの光軸と前記赤外線検出素子の受光面とのなす角度が互いに異なる。
【発明の効果】
【０００９】
本発明の赤外線検出装置においては、視野角を大きくすることが可能となる。
【図面の簡単な説明】
【００１０】
【図１】図１は、実施形態１の赤外線検出装置の概略断面図である。
【図２】図２Ａは、実施形態１の赤外線検出装置におけるレンズ部品の概略正面図である。図２Ｂは、実施形態１の赤外線検出装置におけるレンズ部品の概略背面図である。
【図３】図３Ａは、図２ＡのＸ−Ｘ断面図である。図３Ｂは、図２ＡのＹ−Ｙ断面図である。
【図４】図４Ａは、実施形態１の赤外線検出装置における赤外線検出素子の概略正面図である。図４Ｂは、図４ＡのＸ−Ｘ断面図である。
【図５】図５は、実施形態１の赤外線検出装置の概略回路図である。
【図６】図６は、実施形態２の赤外線検出装置の概略断面図である。
【図７】図７は、実施形態２の赤外線検出装置の概略斜視図である。
【発明を実施するための形態】
【００１１】
下記の実施形態１、２において説明する各図は、模式的な図であり、各構成要素の大きさや厚さそれぞれの比が、必ずしも実際の寸法比を反映しているとは限らない。
【００１２】
（実施形態１）
以下では、本実施形態の赤外線検出装置１について、図１〜５に基づいて説明する。
【００１３】
赤外線検出装置１は、赤外線検出素子２と、レンズ部品３と、を備える。レンズ部品３は、赤外線検出素子２から見て前方からの赤外線を透過する第１領域４と、赤外線検出素子２から見て側方からの赤外線を透過する第２領域５と、を備える。第１領域４には、各々が赤外線検出素子２に赤外線を集光する複数の第１レンズ４０が形成されている。第１領域４の赤外線入射面４Ａが凸面であり、かつ、第１領域４の赤外線出射面４Ｂが複数の第１レンズ４０の各々における複数の第１レンズ面４１を有する。第２領域５には、各々が赤外線検出素子２に赤外線を集光する複数の第２レンズ５０が形成されている。第２領域５の赤外線入射面５Ａが平面であり、かつ、第２領域５の赤外線出射面５Ｂが複数の第２レンズ５０の各々における複数の第２レンズ面５１を有する。複数の第２レンズ５０のうち第１領域４から離れる方向において並んでいる２つの第２レンズ５０は、それぞれの光軸と赤外線検出素子２の受光面２０とのなす角度が互いに異なる。以上の構成により、赤外線検出装置１は、視野角を大きくすることが可能となる。「視野角」とは、赤外線検出素子２がレンズ部品３を通してみることができる視野の角度を意味する。言い換えれば、「視野角」とは、赤外線検出装置１の検知エリアの広がり角を意味する。例えば、検知エリアが水平面内において赤外線検出装置１を中心とした扇形の範囲に設定されている場合、視野角は、水平視野角であり、扇形の中心角である。なお、図１及び図３Ｂでは、赤外線検出装置１に入射する赤外線の進行経路を点線で模式的に示してある。また、図３Ｂでは、赤外線検出素子２の受光面２０の中心点２００（図４Ａ参照）に立てた法線を一点鎖線で示してある。
【００１４】
レンズ部品３には、第２領域５が２つ設けられており、第１領域４の両側に第２領域５があるのが好ましい。これにより、赤外線検出装置１は、視野角をより大きくすることが可能となる。
【００１５】
複数の第１レンズ面４１及び複数の第２レンズ面５１の各々は非球面であるのが好ましい。これにより、赤外線検出装置１は、複数の第１レンズ４０及び複数の第２レンズ５０の各々の厚さを薄くすることや、収差を小さくすることが可能となり、感度の向上を図ることが可能となる。
【００１６】
赤外線検出装置１は、赤外線検出素子２が収納されたパッケージ６を備えるのが好ましい。パッケージ６は、赤外線検出素子２の前方に配置されて赤外線を透過する窓材６３を備える。レンズ部品３は、複数の第１レンズ４０及び複数の第２レンズ５０の各々を透過した赤外線が窓材６３に直接入射するように構成されているのが好ましい。これにより、赤外線検出装置１は、レンズ部品３を透過した赤外線を偏向する光学部材を別途に設ける必要がなく、レンズ部品３の小型化を図ることが可能となる。
【００１７】
パッケージ６は、赤外線検出素子２が収納されるパッケージ本体６０と、パッケージ本体６０における赤外線検出素子２の前方に形成された窓孔６０１を塞ぐ窓材６３と、複数個（３個）の端子６４ａ、６４ｂ、６４ｃと、を備える。パッケージ６は、ＣＡＮパッケージである。窓材６３は、赤外線透過部材である。赤外線透過部材としては、例えば、シリコン基板、ゲルマニウム基板等を用いることができる。赤外線透過部材は、適宜の光学フィルタ膜、反射防止膜等を備えているのが好ましい。端子６４ａは、人体検知信号の取り出し用の端子である。端子６４ｂは、給電用の端子である。端子６４ｃは、グラウンド用の端子である。
【００１８】
赤外線検出装置１は、その回路構成として、図５に示すように、赤外線検出素子２の他に、信号処理回路７を備えているのが好ましい。信号処理回路７は、例えば、増幅回路７１と、帯域フィルタ７２と、比較回路７３と、出力回路７４と、を備えているのが好ましい。
【００１９】
信号処理回路７は、増幅回路７１と、帯域フィルタ７２と、比較回路７３と、出力回路７４と、が１つのＩＣ素子に集積化されているのが好ましい。赤外線検出装置１では、赤外線検出素子２と信号処理回路７の構成部品（例えば、上述のＩＣ素子）とが実装された基板が、パッケージ６内に収納されているのが好ましい。基板は、例えば、ＭＩＤ（Molded Interconnect Devices）基板により構成することができる。
【００２０】
増幅回路７１は、赤外線検出素子２の出力信号を増幅する回路である。増幅回路７１は、例えば、電流電圧変換回路と、電圧増幅回路と、で構成することができる。電流電圧変換回路は、赤外線検出素子２から出力される出力信号である電流信号を電圧信号に変換して出力する回路である。電圧増幅回路は、電流電圧変換回路により変換された電圧信号のうち所定の周波数帯域（例えば、０．１Ｈｚ〜１０Ｈｚ）の電圧信号を増幅して出力する回路である。
【００２１】
帯域フィルタ７２は、増幅回路７１で増幅された電圧信号から、雑音となる不要な周波数成分を除去するフィルタである。
【００２２】
比較回路７３は、増幅回路７１で増幅された電圧信号と予め設定された閾値とを比較し電圧信号が閾値を超えたか否かを判断する回路である。比較回路７３は、例えば、コンパレータ等を用いて構成することができる。
【００２３】
出力回路７４は、比較回路７３において電圧信号が閾値を超えたと判断されたときに人体検知信号を出力信号として出す回路である。
【００２４】
赤外線検出装置１は、信号処理回路７の構成部品がパッケージ６内に収納された例に限らず、信号処理回路７の構成部品の一部もしくは全部がパッケージ６の外で回路基板に実装された構成としてもよい。回路基板は、例えば、プリント基板により構成することができる。
【００２５】
赤外線検出装置１は、例えば、配線器具に適用することができる。配線器具は、例えば、電源端子と、負荷端子と、電源端子と負荷端子との間に接続されたスイッチング素子と、を備え、電源端子と負荷端子との間に、外部回路を接続して使用する埋込型配線器具である。外部回路は、例えば、電源（例えば、商用電源）と制御対象負荷との直列回路である。配線器具は、赤外線検出装置１からの人体検知信号の有無に基づいてスイッチング素子をオン、オフ制御することで、負荷のオン、オフを制御することができる。制御対象負荷としては、例えば、照明負荷、換気扇等が挙げられる。
【００２６】
配線器具は、例えば、制御対象負荷が照明負荷であるとすれば、照明負荷を設置している室内に赤外線検出装置１の検知エリアを設定しておくことによって、室内に人が存在するか存在しないかに応じて照明負荷を点灯、消灯させることが可能になる。
【００２７】
赤外線検出装置１の各構成要素については、以下に、より詳細に説明する。
【００２８】
赤外線検出素子２は、焦電素子２Ａである。焦電素子２Ａは、例えば、図４Ａ及び４Ｂに示すように、１枚の焦電体基板２３に４個の検出部２４が形成されたクワッド素子である。
【００２９】
焦電素子２Ａは、１枚の焦電体基板２３に、４個の検出部２４が２×２のアレイ状（マトリクス状）に配列されている。言い換えれば、焦電素子２Ａは、４個の検出部２４が２×２のマトリクス状に配列されている。
【００３０】
焦電体基板２３の正面視形状は、正方形状である。「焦電体基板２３の正面視形状」とは、焦電体基板２３の厚さ方向から見た焦電体基板２３の形状である。焦電体基板２３は、焦電性を有する基板である。焦電体基板２３は、例えば単結晶のＬｉＴａＯ３基板により構成されている。
【００３１】
複数の検出部２４の各々の正面視形状は、正方形状である。「複数の検出部２４の各々の正面視形状」とは、焦電体基板２３の厚さ方向から見た複数の検出部２４の各々の形状である。複数の検出部２４の各々は、焦電体基板２３の表面２３１に形成された表面電極２５と、焦電体基板２３の裏面２３２に形成された裏面電極２６と、焦電体基板２３において表面電極２５と裏面電極２６とで挟まれた部分２３３と、を含むコンデンサである。図４Ａでは、複数の検出部２４それぞれにおいてレンズ部品３側に位置する表面電極２５の極性を、“＋”、“−”の符号で示してある。焦電素子２Ａは、行方向に並んでいる２個の検出部２４それぞれの表面電極２５の極性が互いに異なる。焦電素子２Ａは、列方向に並んでいる２個の検出部２４それぞれの表面電極２５の極性が互いに異なる。焦電素子２Ａは、２×２のアレイ状に配列された４個の検出部２４のうち第１の対角方向に並んでいる２個の検出部２４同士が並列接続され、第２の対角方向に並んでいる２個の検出部２４同士が並列接続されている。複数の検出部２４それぞれの受光面２４ａは、表面電極２５の表面である。
【００３２】
赤外線検出素子２では、焦電素子２Ａの正面視において複数の検出部２４の各々の表面電極２５を包含する直角四辺形領域が、受光面２０を構成している。
【００３３】
レンズ部品３における複数の第１レンズ４０及び第２レンズ５０の各々で制御する制御対象の赤外線は、例えば、５μｍ〜２５μｍの波長域の赤外線である。
【００３４】
レンズ部品３の材料は、例えば、ポリエチレンである。より詳細には、レンズ部品３の材料は、白色顔料又は黒色顔料が添加されたポリエチレンである。白色顔料としては、例えば、二酸化チタン、亜鉛華（酸化亜鉛）等の無機顔料を採用するのが好ましい。黒色顔料としては、例えば、カーボンブラック等の微粒子を採用するのが好ましい。レンズ部品３は、例えば、成形法により形成することができる。成形法としては、例えば、射出成形法、圧縮成形法等を採用することができる。
【００３５】
レンズ部品３における複数の第１レンズ４０及び複数の第２レンズ５０の各々は、集光レンズであり、凸レンズにより構成されている。複数の第１レンズ４０及び複数の第２レンズ５０の各々は、非球面レンズにより構成してある。
【００３６】
レンズ部品３の第１領域４の赤外線入射面４Ａは、複数の第１レンズ４０の各々において赤外線が入射する複数の入射面を含む凸面により構成されている。レンズ部品３において、赤外線入射面４Ａを構成する凸面は、前方から見て２つの第２領域５が並ぶ方向に直交する方向に並んだ２つの凸曲面４Ａａ、４Ａｂを有している。複数の第１レンズ４０のうち２つの凸曲面４Ａａ、４Ａｂにおける一方の凸曲面４Ａａの一部を含む第１レンズ４０（４０ａ）と他方の凸曲面４Ａｂの一部を含む第１レンズ４０（４０ｂ）とは、それぞれの光軸と赤外線検出素子２の受光面２０とのなす角度が互いに異なる。これにより、本実施形態の赤外線検出装置１では、第１領域４を透過する赤外線量を増やすことが可能となる。
【００３７】
２つの凸曲面４Ａａ、４Ａｂの各々は、互いに異なる半円柱面の一部により構成されている。言い換えれば、２つの凸曲面４Ａａ、４Ａｂの各々は、互いに異なるシリンドリカル面により構成されている。レンズ部品３では、２つの凸曲面４Ａａ、４Ａｂそれぞれを半円柱面とすることで、入射する赤外線を、赤外線入射面４Ａで大きく屈折させることなく、赤外線検出素子２の受光面２０に集光させることが可能となる。
【００３８】
レンズ部品３の第１領域４の赤外線出射面４Ｂは、複数の第１レンズ４０の各々において赤外線が出射する複数の第１レンズ面４１を含んでいる。複数の第１レンズ４０の各々は、非球面レンズであるのが好ましい。
【００３９】
レンズ部品３の第１領域４は、赤外線検出素子２の前方に配置される。「赤外線検出素子２の前方」とは、赤外線検出素子２の受光面２０の中心点２００（図４Ａ参照）に立てた法線に沿った方向における前方を意味する。
【００４０】
レンズ部品３の第２領域５の赤外線入射面５Ａは、複数の第２レンズ５０の各々において赤外線が入射する複数の入射面を含む平面により構成されている。より詳細には、赤外線入射面５Ａは、赤外線検出素子２の厚さ方向において赤外線検出素子２から離れるにつれて赤外線検出素子２の受光面２０の中心点２００（図４Ａ参照）に立てた法線からの距離が小さくなる面により構成されている。
【００４１】
レンズ部品３の第２領域５の赤外線出射面５Ｂは、複数の第２レンズ５０の各々において赤外線が出射する複数の第２レンズ面５１を含んでいる。複数の第２レンズ５０の各々は、非球面レンズであるのが好ましい。
【００４２】
レンズ部品３は、複数の第１レンズ４０及び複数の第２レンズ５０の各々の赤外線検出素子２側での焦点が同じ位置となるように設計してあるのが好ましい。
【００４３】
赤外線検出装置１は、パッケージ６とレンズ部品３とを連結する合成樹脂製のアダプタ８を備えているのが好ましい。これにより、赤外線検出装置１では、赤外線検出素子２とレンズ部品３との相対的な位置精度を向上させることが可能となる。
【００４４】
アダプタ８は、パッケージ６が取り付けられる第１取付部８１と、レンズ部品３が取り付けられる第２取付部８２と、を一体に備えている。
【００４５】
第１取付部８１は、パッケージ６を囲む円筒状に形成されている。第２取付部８２は、第１取付部８１の前端縁から全周に亘って外方へ突出する形状に形成されている。
【００４６】
赤外線検出装置１では、第１取付部８１とパッケージ６とが、嵌め合わされている。したがって、赤外線検出装置１では、第１取付部８１とパッケージ６との相対的な位置精度を向上させることが可能となる。
【００４７】
レンズ部品３は、各第２領域５の後端縁から後方へ１つずつ突出する２つのフック８３を一体に備えている。これに対して、第２取付部８２は、２つのフック８３それぞれに対応する位置に貫通孔８２ａが形成されている。レンズ部品３は、各フック８３を第２取付部８２の貫通孔８２ａに挿通させて第２取付部８２に引っ掛けることにより、第２取付部８２に取り付けられている。よって、レンズ部品３は、第２取付部８２に対して抜け止めされる。
【００４８】
赤外線検出装置１の検知エリアは、複数の第１赤外線受光経路及び複数の第２赤外線受光経路等により決まる。複数の第１赤外線受光経路の各々は、第１レンズ４０を通して検出部２４に入射する赤外線束を赤外線の進む方向と反対の方向に延長したときに形成される３次元領域である。言い換えれば、第１赤外線受光経路は、赤外線検出素子２の検出部２４の受光面２４ａ上に像をつくるために使われる赤外線束が通ることができる赤外線通過領域を意味する。更に言えば、第１赤外線受光経路は、人体からの赤外線を検出する有効領域である。複数の第１赤外線受光経路の各々は、光学的に規定される経路であり、実際に目に見える経路ではない。複数の第２赤外線受光経路の各々は、第２レンズ５０を通して検出部２４に入射する赤外線束を赤外線の進む方向と反対の方向に延長したときに形成される３次元領域である。第２赤外線受光経路は、第１赤外線受光経路と同様、光学的に規定される経路であり、実際に目に見える経路ではない。
【００４９】
複数の第１赤外線受光経路及び複数の第２赤外線受光経路は、赤外線検出素子２とレンズ部品３とで略決めることが可能である。より詳細には、赤外線検出装置１の検知エリアには、複数の第１レンズ４０ごとに、検出部２４の数の第１赤外線受光経路が形成され、かつ、複数の第２レンズ５０ごとに、検出部２４の数の第２赤外線受光経路が形成される。よって、図１及び２Ｂに示すようにレンズ部品３における第１レンズ４０の数が１８で、赤外線検出素子２における検出部２４の数が４の場合には、７２個の第１赤外線受光経路を形成することができる。また、第２レンズ５０の数が１０で、赤外線検出素子２における検出部２４の数が４の場合には、４０個の第２赤外線受光経路を形成することができる。複数の第１赤外線受光経路及び複数の第２赤外線受光経路の各々は、検出部２４から離れるほど、赤外線束が通ることのできる断面積が大きくなる。複数の第１赤外線受光経路及び複数の第２赤外線受光経路の各々には、検出部２４に１対１で対応した極性があるとみなすことができる。
【００５０】
検知エリアにおける複数の第１赤外線受光経路及び複数の第２赤外線受光経路は、上述のように、赤外線検出素子２とレンズ部品３とで略決めることが可能であるが、赤外線検出装置１がパッケージ６を備えている場合、窓材６３の大きさ及び形状、窓孔６０１の開口形状等にも依存することがある。
【００５１】
検知エリアは、一例として、平面視において赤外線検出装置１を中心とした扇形の範囲に設定してある。この扇形は、一例として、中心角を１７０度、半径を２ｍに設定してある。言い換えれば、検知エリアは、水平視野角を１７０度、最大検知距離を２ｍに設定してある。扇形の中心角は、主にレンズ部品３の形状によって決まる。扇形の半径は、閾値の値、赤外線検出装置１の周囲の温度等によって変化する。扇形の半径は、閾値を低くするほど長くなり、閾値を高くするほど短くなる。
【００５２】
本実施形態の赤外線検出装置１では、例えば、２つの第２領域５が並ぶ方向を左右方向として、壁面に配置される配線器具に適用することにより、この壁面（設置面）に沿って移動する人をより検知しやすくなる。
【００５３】
（実施形態２）
以下では、本実施形態の赤外線検出装置１ｂについて、図６及び７に基づいて説明する。なお、図６では、赤外線検出装置１ｂに入射する赤外線の進行経路を点線で模式的に示してある。
【００５４】
本実施形態の赤外線検出装置１ｂは、実施形態１の赤外線検出装置１と基本構成が同じであり、レンズ部品３の形状が相違する。なお、本実施形態の赤外線検出装置１ｂに関し、赤外線検出装置１と同様の構成要素には同一の符号を付して説明を省略する。
【００５５】
レンズ部品３の第１領域４の赤外線入射面４Ａは、複数の第１レンズ４０の各々において赤外線が入射する複数の入射面を含む凸面により構成されている。より詳細には、赤外線入射面４Ａは、半円柱面の一部により構成されている。言い換えれば、赤外線入射面４Ａは、シリンドリカル面により構成されている。レンズ部品３では、第１領域４を半円筒状とすることで、入射する赤外線を、赤外線入射面４Ａで大きく屈折させることなく、赤外線検出素子２の受光面２０に集光させることが可能となる。
【００５６】
本実施形態の赤外線検出装置１ｂでは、例えば、２つの第２領域５が並ぶ方向を左右方向として、壁面に配置される配線器具に適用することにより、この壁面（設置面）に沿って移動する人を更に検知しやすくなる。
【００５７】
なお、第１領域４の赤外線入射面４Ａを構成する凸面は、平面に限りなく近い面でもよい。
【００５８】
実施形態１、２に記載した材料、数値等は、好ましい例を示しているだけであり、それに限定する主旨ではない。また、本願発明は、その技術的思想の範囲を逸脱しない範囲で、構成に適宜変更を加えることが可能である。
【００５９】
例えば、複数の第１レンズ４０及び複数の第２レンズ５０の各々は、フレネルレンズにより構成されていてもよい。
【００６０】
例えば、赤外線検出素子２は、電流検出モードで使用され出力信号として電流信号を出力する焦電素子に限らず、電圧検出モードで使用され出力信号として電圧信号を出力する焦電素子でもよい。この場合、図５に示した信号処理回路７の増幅回路７１において、電流電圧変換回路は、不要である。
【００６１】
また、赤外線検出素子２は、クワッド素子に限らず、例えば、デュアル素子でもよい。また、赤外線検出素子２は、焦電素子にかぎらず、例えば、サーモパイル、フォトダイオード等でもよい。
【００６２】
赤外線検出装置１、１ｂは、配線器具に適用する例に限らず、種々の機器に適用することができる。機器としては、例えば、テレビ、デジタルサイネージ（電子看板）、照明器具、空気清浄器、エアコンディショナ、コピー機、ファクシミリ（facsimile：ＦＡＸ）、防犯機器等が挙げられる。機器は、屋内に配置される機器に限らず、屋外に配置される機器でもよい。
【符号の説明】
【００６３】
１、１ｂ  赤外線検出装置
２  赤外線検出素子
２０  受光面
３  レンズ部品
４  第１領域
４Ａ  赤外線入射面
４Ａａ  凸曲面
４Ａｂ  凸曲面
４Ｂ  赤外線出射面
４０  第１レンズ
４０ａ  第１レンズ
４０ｂ  第１レンズ
４１  第１レンズ面
５  第２領域
５Ａ  赤外線入射面
５Ｂ  赤外線出射面
５０  第２レンズ
５１  第２レンズ面
６  パッケージ
６３  窓材
【図１】
0006601761.tif 000002
【図２】
0006601761.tif 000003
【図３】
0006601761.tif 000004
【図４】
0006601761.tif 000005
【図５】
0006601761.tif 000006
【図６】
0006601761.tif 000007
【図７】
0006601761.tif 000008